(57)【要約】【課題】生体に好影響を与えることが注目されているマイナスイオンを発生させて効果的に掃除機本体外に放出する電気掃除機を提供することにある。【解決手段】電動送風機１９を収納する電動送風機室２０を有し、電動送風機１９の排気を掃除機本体１外部に排気する排気口２３を設け、排気口２３に、モナザイト等の天然放射性物質を含有する塗料を塗布したマイナスイオン発生体２７、或いはモナザイト等の天然放射性物質を含有する材料にて形成したマイナスイオン発生体を配置する。【選択図】　図２
2004024415.tif 000002
【特許請求の範囲】
【請求項１】
電動送風機を収納する電動送風機室及び集塵室を有する掃除機本体と、該掃除機本体に形成される排気口とを備え、前記排気口に、マイナスイオン発生体を配置したことを特徴とする電気掃除機。
【請求項２】
電動送風機を収納する電動送風機室及び集塵室を有する掃除機本体と、該掃除機本体に形成される排気口と、該排気口に装着される排気枠とを備え、前記掃除機本体と排気枠との間にマイナスイオン発生体を挟持したことを特徴とする電気掃除機。
【請求項３】
電動送風機を収納する電動送風機室及び集塵室を有する掃除機本体と、該掃除機本体に形成される排気口と、該排気口から排気される排気を浄化するフィルターとを備え、前記フィルターの下流に、マイナスイオン発生体を配設したことを特徴とする電気掃除機。
【請求項４】
前記マイナスイオン発生体として、マイナスイオンを発生させる物質を含有するものを用いたことを特徴とする請求項１から３に記載の電気掃除機。
【請求項５】
電動送風機を収納する電動送風機室及び集塵室を有する掃除機本体と、該掃除機本体に形成される排気口と、該排気口に配設されるフィルターとを備え、前記フィルターにマイナスイオンを発生させる物質を含有させたことを特徴とする電気掃除機。
【請求項６】
電動送風機を収納する電動送風機室及び集塵室を有する掃除機本体と、該掃除機本体に形成される排気口と、該排気口に装着される排気枠とを備え、前記排気枠は、基材表面にマイナスイオンを発生させる物質を含有する塗料を塗装して形成したことを特徴とする電気掃除機。
【請求項７】
電動送風機を収納する電動送風機室及び集塵室を有する掃除機本体と、該掃除機本体に形成される排気口と、該排気口に装着される排気枠とを備え、前記排気枠は、マイナスイオンを発生させる物質を含有する材料にて形成したことを特徴とする電気掃除機。
【請求項８】
前記マイナスイオンを発生させる物質は、モナザイトであることを特徴とする請求項４から７に記載の電気掃除機。
【請求項９】
前記マイナスイオンを発生させる物質は、希土類元素であることを特徴とする請求項４から７に記載の電気掃除機。
【請求項１０】
前記マイナスイオンを発生させる物質は、トリウムであることを特徴とする請求項４から７に記載の電気掃除機。
【請求項１１】
前記マイナスイオンを発生させる物質は、トルマリンであることを特徴とする請求項４から７に記載の電気掃除機。
【発明の詳細な説明】
【０００１】
【産業上の利用分野】
本発明は、電気掃除機に関し、特に、マイナスイオンを供給し得る電気掃除機に関する。
【０００２】
【従来の技術】
従来、電気掃除機は、衣類や寝具等の繊維、人間やペットの毛、カビやダニ、花粉などの塵埃等を効率よく集塵することを課題として様々な工夫がなされてきた。
【０００３】
しかしながら、電気掃除機は、掃除目的以外には、利用されていないのが実状である。
【０００４】
【発明が解決しようとする課題】
近年、マイナスイオンが生理作用を活性化し、生体に対して好影響を与えることが注目されている。
【０００５】
そこで、電気掃除機の排気にマイナスイオンを付加することが考えられる。マイナスイオンの発生方法としては、対向する電極間に高電圧を印加して放電させる方法が知られている。
【０００６】
このように、高電圧を印加してマイナスイオンを発生させる装置を掃除機本体内部に配置した構成では、発生したマイナスイオンを効率よく放出することができず、特に、電動送風機の運転停止状態でもマイナスイオンが発生できる構成とした際には、運転停止状態では発生したマイナスイオンがほとんど掃除機本体の外部に放出されない問題がある。
【０００７】
本願は、上記問題点に鑑みなされたもので、生体に好影響を与えることが注目されているマイナスイオンを発生させて効果的に掃除機本体外に放出する電気掃除機を提供することを課題とする。
【０００８】
【課題を解決するための手段】
本発明の第１の手段は、電動送風機を収納する電動送風機室及び集塵室を有する掃除機本体と、該掃除機本体に形成される排気口とを備え、前記排気口に、マイナスイオン発生体を配置したことを特徴とする。
【０００９】
本発明の第２の手段は、電動送風機を収納する電動送風機室及び集塵室を有する掃除機本体と、該掃除機本体に形成される排気口と、該排気口に装着される排気枠とを備え、前記掃除機本体と排気枠との間にマイナスイオン発生体を挟持したことを特徴とする。
【００１０】
本発明の第３の手段は、電動送風機を収納する電動送風機室及び集塵室を有する掃除機本体と、該掃除機本体に形成される排気口と、該排気口から排気される排気を浄化するフィルターとを備え、前記フィルターの下流に、マイナスイオン発生体を配設したことを特徴とする。
【００１１】
上記第１から第３の手段において、マイナスイオン発生体として、天然放射性物質を含有するものを用いることが好ましい。
【００１２】
本発明の第４の手段は、電動送風機を収納する電動送風機室及び集塵室を有する掃除機本体と、該掃除機本体に形成される排気口と、該排気口に配設されるフィルターとを備え、前記フィルターにマイナスイオンを発生させる物質を配設したことを特徴とする。
【００１３】
本発明の第５の手段は、電動送風機を収納する電動送風機室及び集塵室を有する掃除機本体と、該掃除機本体に形成される排気口と、該排気口に装着される排気枠とを備え、前記排気枠は、基材表面にマイナスイオンを発生させる物質を含有する塗料を塗装して形成したことを特徴とする。
【００１４】
本発明の第６の手段は、電動送風機を収納する電動送風機室及び集塵室を有する掃除機本体と、該掃除機本体に形成される排気口と、該排気口に装着される排気枠とを備え、前記排気枠は、マイナスイオンを発生させる物質を含有する材料にて形成したことを特徴とする。
【００１５】
上記各構成において、前記マイナスイオンを発生させる物質は、モナザイト、希土類元素、トリウム、トルマリンから選択されることが好ましい。
【００１６】
【発明の実施の形態】
本発明の実施の形態を図１から図７に基づいて以下に詳述する。図１は掃除機本体の外観斜視図、図２は掃除機本体の断面図、図３は図２とは異なる方向の掃除機本体の断面図、図４は排気部分の構成を示す分解斜視図、図５は掃除機本体からホイールキャップを取り外した状態の掃除機本体の側面図、図６はカバー体及び集塵蓋を取り外した状態の掃除機本体の上面図、図７は電気掃除機の収納状態を示す側面図である。
【００１７】
１は下ケース２、上ケース３及び上ケース３の後方上部を覆うカバー体４からなる掃除機本体で、前方に上方を開口した集塵室５を形成すると共に、後方には電動送風機室６と電動送風機室６のさらに後方にコードリース室７を形成している。８は前記集塵室５の上面開口を開閉自在に閉塞する集塵蓋で、前記掃除機本体１に上下方向に揺動自在に枢支されている。
【００１８】
９は前記掃除機本体１前部に形成されるホース接続口で、図７に示すごとく、ホース１０の一端が着脱自在に接続され、該ホース１０他端に延長パイプ１１の一端が着脱自在に接続され、該延長パイプ１１の他端に床用吸込具１２が着脱自在に接続される。
【００１９】
１３は前記集塵室５内に着脱自在に収納される集塵袋で、集塵室５内に装着した状態で、台紙１４に形成した吸塵孔１５を前記ホース接続口９に連通するようになっている。
【００２０】
１６は前記集塵室５と電動送風機室６とを区画する隔壁で、前記集塵室５と電動送風機室６とを連通する連通口１７が形成されており、該連通口１７の集塵室５側にフィルター１８が着脱自在に装着されている。
【００２１】
１９は前記電動送風機室６内に収納される電動送風機で、吸気口１９ａが前記連通口１８を介して集塵室５に連通している。２０は前記電動送風機１９を囲繞する合成樹脂製の電動送風機ケースで、前記掃除機本体１の底面側に吐出口２１を形成しており、該吐出口２１に排気フィルター２２が装着されている。
【００２２】
２３は前記掃除機本体１後方両側に形成された排気口で、該排気口２３周縁に掃除機本体１外側に向かって環状のリブ２４が形成され、該リブ２４外周に後車輪２５が回動自在に支持されている。２６は前記掃除機本体１の排気口２３を覆うように掃除機本体１外側から装着される排気枠となるホイールカバーで、該ホイールカバー２６を装着することにより後車輪２５の抜け止めを行うようになっている。
【００２３】
２７はマイナスイオンを発生させるマイナスイオン発生体で、前記ホイールカバー２６を掃除機本体１に装着することにより、マイナスイオン発生体２７の掃除機本体１側に位置する活性炭を有する消臭フィルター２８と共に、掃除機本体１の排気口２３とホイールカバー２６との間に挟持されるようになっている。前記マイナスイオン発生体２７は、多数の孔を有する通気性を有する薄板状の基材の表面に、マイナスイオンを発生させる物質としてモナザイトを含有する塗料を塗装している。この塗料には、モナザイト以外に、ＳｉＯ２、Ａｌ２Ｏ３、Ｆｅ２Ｏ３、ＭｇＯ、Ｎａ２Ｏ、ＴｉＯ２等の材料を加えている。前記マイナスイオン発生体２７からは、モナザイトから放射される放射線と前記材料等からの金属イオンと空気中の水分とが反応し、マイナスイオンが常時発生する。
【００２４】
前記マイナスイオン発生体２７の基材は、本実施の形態では、塗装を１６０度程度で乾燥させるために耐熱性を有する鉄やアルミニウムなどの金属により形成しているが、低温で乾燥させる場合などには、必要に応じてセラミックや紙などの適宜材料から選択してもよい。
【００２５】
２９は前記電動送風機ケースの吐出口２１と排気口２３との間に、前記掃除機本体１の下ケース２から上方に向かって立設された案内体となる案内壁で、前記吐出口２１からの排気を電動送風機室６上方に配設される後述の光触媒３４に向かって案内するようになっている。
【００２６】
３０は前記コードリール室７内に配設されるコードリールで、回転軸３１を掃除機本体１の前後方向に向けて枢支している。
【００２７】
３２は前記集塵室６上方の上ケース３とカバー体４との間に形成される光触媒収納室で、前記上ケース３が構成する光触媒収納室３２の底面部分が多数の通気孔３３を有する格子状に形成されている。３４は前記光触媒収納室３２に収納される光触媒で、本発明の実施の形態では、ハニカム状に形成された基材表面に、酸化チタン等の光触媒機能を有する物質によって光触媒層を形成したものを用いている。前記光触媒３４は、光触媒収納室３２底面から立設した複数の支持リブ３５により掃除機本体１後方側が高くなるように支持されている。前記カバー体４は光触媒収納室３２の上方位置が開口しており、この上方開口を、外部光を透過させる透明または半透明の材料からなる透光部材３６により閉塞している。前記透光部材３６は光触媒３４と同様に、掃除機本体１後方側が高くなるように形成されている。前記透光部材３６は、本実施の形態では、透明なＡＢＳ等の合成樹脂を用いているが、より紫外線を透過しやすいアクリルなどの合成樹脂、あるいはガラスなどを用いてもよい。
【００２８】
３７は前記掃除機本体１の背面に形成された支持脚で、図７に示すごとく、掃除機本体１背面を床面等に載置した状態で掃除機本体１を起立保持するようになっている。前記掃除機本体１の下面には、掃除機本体１背面を接地して起立保持した状態で、延長パイプ１１を係止するための係止部３８が形成されている。
【００２９】
而して、吸込具本体１２から延長パイプ１１及びホース１０を介して空気と共に掃除機本体１に吸引された塵埃等は、集塵室５内に装着される集塵袋１３により空気と分離され、塵埃等は集塵袋１３に蓄積され、空気はフィルタ１７を介して電動送風機１９に吸引され、電動送風機ケース２０の吐出口２１に装着された排気フィルター２２により濾過されて電動送風機室６内に排気される。
【００３０】
そして、吐出口２１からの排気は、案内壁２９により電動送風機室６内を上方に向かって案内され、通気孔３３を通過して光触媒収納室３２内の光触媒３４に接触し、光触媒３４の脱臭・殺菌効果により浄化される。浄化された排気は、案内壁２９の外側を通過し、さらに脱臭フィルター２８により脱臭されて排気口２３から掃除機本体１の外部に排気される。
【００３１】
光触媒３４は排気フィルター２２の下流側に配置しているので、表面にごみ等が付着することはなく、従ってごみ等の付着により光触媒３４の脱臭・殺菌効果が低下することはなく、当初の性能を長期にわたり維持することができる。
【００３２】
排気口２３からの排気には、マイナスイオン発生体２７から発生するマイナスイオンが含まれており、排気によってマイナスイオンを部屋内に拡散させる。
【００３３】
また、電動送風機１９の騒音は、電動送風機ケース２０、案内壁２９およびマイナスイオン発生体２７により遮音され、排気口２３から外部に漏れる騒音が低減される。
【００３４】
電気掃除機の収納時には、図７に示すごとく、掃除機本体１背面の脚部３７を床面に接地し、掃除機本体１のホース接続口９にホース１０及び延長パイプ１１を介して床用吸込具１２を接続した状態で、掃除機本体１底面の係止部３８に延長パイプ１１を係止する。
【００３５】
この収納状態においても、マイナスイオン発生体２７からマイナスイオンが発生し、ホイールカバー２６を介して部屋内に放出される。マイナスイオン発生体２７は、排気口２３に装着され、ホイールカバー２６の開口部から掃除機本体１の外部に臨んでいるので、マイナスイオン発生体２７から放出されたマイナスイオンが掃除機本体１外部に効率よく放出される。
【００３６】
マイナスイオン発生体２７は、排気フィルター２２と脱臭フィルター２８の下流側に配設されているので、表面にごみ等が付着することはなく、従ってごみの付着によってマイナスイオンの放出が妨げられることがなく、当初の性能を長期にわたり維持することができる。
【００３７】
光触媒３４及び透光部材３６は、その上面が掃除機本体１背面側が高くなるように配置されているので、図７に示すように掃除機本体１背面を接地した電気掃除機の収納状態においても、部屋の窓から入る外部光を効率よく受けて脱臭・殺菌能力を維持することができる。
【００３８】
上記実施の形態においては、マイナスイオン発生体２７を、基材表面に、モナザイトとＳｉＯ２、Ａｌ２Ｏ３、Ｆｅ２Ｏ３、ＭｇＯ、Ｎａ２Ｏ、ＴｉＯ２等の材料を含有する塗装を施したものを用いたが、モナザイトと前記材料を含有する合成樹脂等の材料にて任意の形状に形成したものをマイナスイオン発生体としてもよい。
【００３９】
また、ホイールカバー２６を、モナザイトと前記材料を含有した合成樹脂などの材料にて形成し、このホイールカバー２６をマイナスイオン発生体としてもよい。さらに、排気フィルター２８に、モナザイトと前記材料を分散配置し、この排気フィルター２８をマイナスイオン発生体としてもよい。
【００４０】
また、マイナスイオンを発生させる物質として、モナザイトと前記材料を含有したものを用いたが、モナザイトだけでもよい。この場合においても、モナザイトから放射された放射線は、空中の分子と衝突してマイナスイオンを常時放出する。
【００４１】
モナザイトは、放射性物質としてトリウムを含有するため放射性を有するものであるため、モナザイトに換えて、トリウムを含有する他の鉱物や材料、抽出したトリウムなどを用いてもよい。また、マイナスイオンを常時放出すると言われるトルマリンや希土類元素を含有する鉱物や材料を用いてもよい。
【００４２】
【発明の効果】
本発明の請求項１の構成によれば、マイナスイオン発生体を掃除機本体の排気口に配置したので、マイナスイオンを効率よく掃除機本体外部に放出することができる等の効果を奏する。
【００４３】
本発明の請求項２の構成によれば、マイナスイオン発生体を掃除機本体の排気口に配置したので、マイナスイオンを効率よく掃除機本体外部に放出することができると共に、マイナスイオン発生体を掃除機本体と排気枠との間に挟持したので、マイナスイオン発生体の取付を容易に行うことができる等の効果を奏する。
【００４４】
本発明の請求項３の構成によれば、マイナスイオン発生体を掃除機本体の排気口に配置したので、マイナスイオンを効率よく掃除機本体外部に放出することができると共に、マイナスイオン発生体をフィルターの下流に配置したので、マイナスイオン発生体表面にごみ等が付着することはなく、マイナスイオン発生体からのマイナスイオンの発生が妨げられることがない等の効果を奏する。
【００４５】
本発明の請求項４の構成によれば、マイナスイオン発生体として天然放射性物質を含有するものを用いたので、電気掃除機の運転を停止した状態でもマイナスイオンを発生させることができ、マイナスイオンを排気口に配置していることと相まって、常時効率よく部屋にマイナスイオンを放出することができる等の効果を奏する。
【００４６】
本発明の請求項５の構成によれば、排気口に配設されるフィルターにマイナスイオンを発生させる物質を含有したので、電気掃除機の運転を停止した状態でもマイナスイオンを発生させて、常時効率よく部屋にマイナスイオンを放出することができる等の効果を奏する。
【００４７】
本発明の請求項６の構成によれば、排気枠に、マイナスイオンを発生させる物質を含有する塗料を塗装したので、電気掃除機の運転を停止した状態でもマイナスイオンを発生させて、常時効率よく部屋にマイナスイオンを放出することができる等の効果を奏する。
【００４８】
本発明の請求項７の構成によれば、排気枠を、マイナスイオンを発生させる物質を含有する材料にて形成したので、電気掃除機の運転を停止した状態でもマイナスイオンを発生させて、常時効率よく部屋にマイナスイオンを放出することができる等の効果を奏する。
【００４９】
上記各構成において、マイナスイオンを発生させる物質としては、モナザイト、トリウム、トルマリン、希土類元素のいずれかを選択すると、電気掃除機の運転停止状態においても、常時マイナスイオンを放出し、部屋にマイナスイオンを放出することができる等の効果を奏する。
【図面の簡単な説明】
【図１】本発明の一実施の形態を示す掃除機本体の外観斜視図である。
【図２】同掃除機本体の断面図である。
【図３】同図２とは異なる方向の掃除機本体の断面図である。
【図４】同掃除機本体の排気部分の構成を説明する分解斜視図である。
【図５】同掃除機本体からホイールキャップを取り外した状態の掃除機本体の側面図である。
【図６】同カバー体及び集塵蓋を取り外した状態の掃除機本体の上面図である。
【図７】同掃除機本体の収納状態を示す側面図である。
【符号の説明】
１　　　掃除機本体
５　　　集塵室
６　　　電動送風機室
８　　　集塵蓋
１９　　　電動送風機
２０　　　電動送風機ケース
２１　　　吐出口
２２　　　排気フィルター
２３　　　排気口
２６　　　ホイールカバー
２７　　　マイナスイオン発生体
２８　　　消臭フィルター
【図１】
2004024415.tif 000003
【図２】
2004024415.tif 000004
【図３】
2004024415.tif 000005
【図４】
2004024415.tif 000006
【図５】
2004024415.tif 000007
【図６】
2004024415.tif 000008
【図７】
2004024415.tif 000009